(57)【特許請求の範囲】
【請求項１】
図柄を変動表示させて遊技演出を行なう図柄表示装置が臨む装飾部材に配設され、前記図柄表示装置の遊技演出に合わせて複数の演出用可動部材に所定動作を行なわせる遊技機用の可動式演出装置であって、
前記装飾部材に設けたケーシングに配設した単一の駆動手段と、
前記ケーシングに対して動作可能に保持されると共に、一体的に設けられた作動部を介して前記駆動手段に連繋され、該駆動手段の駆動により所定の動作を行なう第１演出用可動部材と、
前記第１演出用可動部材に動作可能に保持され、該第１演出用可動部材と共に移動する第２演出用可動部材と、
前記第１演出用可動部材に設けられて、前記第２演出用可動部材に接続すると共に前記ケーシングに対し連繋され、該第１演出用可動部材の動作に連動して第１演出用可動部材とケーシングとの位置関係の変化により作動して、該第２演出用可動部材に所定の動作を行なわせる連動手段とから構成し、
前記作動部は、前記第１演出用可動部材の長手方向に沿う一辺側に設けられ、前記駆動手段の回転軸に設けた第１ピニオンに噛合する第１ラックからなり、
前記連動手段は、前記第１演出用可動部材の長手方向に沿う他辺側に設けられ、前記ケーシングに配設した支持部材に設けられた第２ラックに噛合する第２ピニオンと、該第２ピニオンの回転運動を前記第２演出用可動部材の往復運動に変換するクランク機構からなり、
前記第１ラックに噛合する第１ピニオンおよび第２ピニオンに噛合する第２ラックにより前記第１演出用可動部材を挟持した状態で往復運動可能に保持している
ことを特徴とする遊技機用の可動式演出装置。
【請求項２】
前記第１演出用可動部材に動作可能に保持した第３演出用可動部材が、前記第２演出用可動部材にリンク機構を介して接続され、該第２演出用可動部材の動作に連動して該第３演出用可動部材が所定の動作を行なうよう構成されている請求項１記載の遊技機用の可動式演出装置。
【発明の詳細な説明】
【技術分野】
【０００１】
この発明は、図柄を変動表示させて遊技演出を行なう図柄表示装置が臨む装飾部材に配設され、この図柄表示装置の遊技演出に合わせて複数の演出用可動部材に所定動作を行なわせる遊技機用の可動式演出装置に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動ゲームを行なう図柄表示装置を臨ませるよう構成される。そして、遊技盤の盤面(遊技領域)に打出された遊技球が、装飾部材の下方位置に配設した始動入賞装置に入賞することにより、図柄表示装置での図柄変動ゲームが行なわれるようになっている。また、多くのパチンコ機では、装飾部材に、所要の動作を行なう可動体を備えた可動式の演出装置が配設されており、可動体を図柄表示装置での図柄変動ゲームに合わせて動作させることにより演出効果の向上を図っている。
【０００３】
例えば可動式演出装置としては、複合装置(装飾部材)に往復運動可能にハンマー(可動部材)を配設し、該ハンマーと連繋させたソレノイド(駆動手段)を特別図柄表示器(図柄表示装置)での遊技演出に合わせて駆動させるようにしたものがある(特許文献１参照)。また、表示装置(装飾部材)に手袋やシルクハットを模した複数の可動体(可動部材)を揺動可能に配設すると共に、各可動体に対応してソレノイド(駆動手段)を夫々配設し、複数の可動体を可変表示部(図柄表示装置)での遊技演出に合わせて揺動させることで、より遊技の興趣を高めるようにしたものもある(特許文献２参照)。
【０００４】
前述の如く、可動式演出装置に複数の可動部材を設ける場合には、各可動部材を駆動させる駆動手段を対応的に配設するため、複数の駆動手段が必要となり、装置全体が大型化する欠点がある。しかも、パチンコ機の裏側には、図柄表示装置や可動式演出装置等を制御する制御基板や効果音出力装置、その他多数の構成部品が配設されるため、スペース的に余裕があるとは言い難く、複数の可動部材を備えた大型の可動式演出装置をパチンコ機に配設するスペースの確保が困難となる問題も招く。また、各可動部材を動作させるに際して駆動手段毎に制御する必要があるので、各可動部材の動作制御が複雑となる難点も指摘される。そこで、特許文献３に開示された補助演出装置の如く、複数の可動部材に対応して設けた伝達手段と作動手段に設けた対応の連繋部とを連繋して、駆動手段により駆動する作動手段の作動に際して、複数の可動部材を夫々動作させる構成が提案されている。
【特許文献１】特開２００１−２５５４６号公報
【特許文献２】特開２００１−３８００５号公報
【特許文献３】特開２００４−１２９８７５号公報
【発明の開示】
【発明が解決しようとする課題】
【０００５】
前記特許文献３に開示された補助演出装置では、複数の可動部材を単一の駆動手段で動作させることができ、それなりに評価し得る。しかるに、複数の可動部材に対応して設けた伝達手段と作動手段に設けた対応の連繋部とを連繋すると共に、駆動手段と各可動部材との間に作動手段が介在する構成であるため、部品点数が多く、更なる構成の簡略化が求められている。また、夫々の可動部材が、移動することなくその取付け部位において独自に動作するものであるから、複数の可動部材全体として動的な一体感を得るような演出には余り適してない。
【０００６】
すなわち本発明は、前述した従来の技術に内在している前記課題に鑑み、これを好適に解決するべく提案されたものであって、簡単な構成で、複数の可動部材により遊技の興趣を増大させ得る遊技機用の可動式演出装置を提供することを目的とする。
【課題を解決するための手段】
【０００７】
前記課題を克服し、所期の目的を達成するため、本願の請求項１に係る発明の遊技機用の可動式演出装置は、
図柄を変動表示させて遊技演出を行なう図柄表示装置が臨む装飾部材(B)に配設され、前記図柄表示装置の遊技演出に合わせて複数の演出用可動部材(20,30)に所定動作を行なわせる遊技機用の可動式演出装置であって、
前記装飾部材(B)に設けたケーシング(12)に配設した単一の駆動手段(14)と、
前記ケーシング(12)に対して動作可能に保持されると共に、一体的に設けられた作動部(22)を介して前記駆動手段(14)に連繋され、該駆動手段(14)の駆動により所定の動作を行なう第１演出用可動部材(20)と、
前記第１演出用可動部材(20)に動作可能に保持され、該第１演出用可動部材(20)と共に移動する第２演出用可動部材(30)と、
前記第１演出用可動部材(20)に設けられて、前記第２演出用可動部材(30)に接続すると共に前記ケーシング(12)に対し連繋され、該第１演出用可動部材(20)の動作に連動して第１演出用可動部材(20)とケーシング(12)との位置関係の変化により作動して、該第２演出用可動部材(30)に所定の動作を行なわせる連動手段(24,40)とから構成し、
前記作動部は、前記第１演出用可動部材(20)の長手方向に沿う一辺側に設けられ、前記駆動手段(14)の回転軸(16)に設けた第１ピニオン(18)に噛合する第１ラック(22)からなり、
前記連動手段は、前記第１演出用可動部材(20)の長手方向に沿う他辺側に設けられ、前記ケーシング(12)に配設した支持部材(50)に設けられた第２ラック(52)に噛合する第２ピニオン(24)と、該第２ピニオン(24)の回転運動を前記第２演出用可動部材(30)の往復運動に変換するクランク機構(40)からなり、
前記第１ラック(22)に噛合する第１ピニオン(18)および第２ピニオン(24)に噛合する第２ラック(52)により前記第１演出用可動部材(20)を挟持した状態で往復運動可能に保持していることを特徴とする。
【０００８】
請求項１に係る発明によれば、駆動手段で駆動される第１演出用可動部材による所定の動作に伴って、該第１演出用可動部材に保持した第２演出用可動部材を、連動手段を介して動作させることができる。このように、単一の駆動手段により第１演出用可動部材を直接的に動作させると共に、第２演出用可動部材を第１演出用可動部材に保持した状態で当該第１演出用可動部材の動作と共に移動させつつ所定の動作を行なわせるから、別々の動作をする第１演出用可動部材と第２演出用可動部材との動作関係に動的な一体感が生じて、複数の演出用可動部材による複合的な視覚的演出効果を向上させることができる。また、第１演出用可動部材を駆動手段で直接的に動作させると共に、第２演出用可動部材を第１演出用可動部材の動作に連動して連動手段を介して動作させる構成であるから、各演出用可動部材を動作させる機構を簡略化することができる。更に、駆動手段および第１演出用可動部材をケーシングに保持すると共に、第２演出用可動部材および連動手段を第１演出用可動部材に配設するよう構成することで、ケーシング単位で取扱いし得る。第１演出用可動部材を、ケーシングに配設した駆動手段の第１ピニオンおよび支持部材の第２ラックにより挟持した状態で保持するよう構成したから、第１演出用可動部材を安定的に往復動作させることができる。これにより、第１演出用可動部材に従属して動作する第２演出用可動部材や第３演出用可動部材についても、その動作を安定させることができる。
【０００９】
請求項２に係る発明は、請求項１記載の遊技機用の可動式演出装置において、
前記第１演出用可動部材(20)に動作可能に保持した第３演出用可動部材(32)が、前記第２演出用可動部材(30)にリンク機構(60)を介して接続され、該第２演出用可動部材(30)の動作に連動して該第３演出用可動部材(32)が所定の動作を行なうよう構成されている。
請求項２に係る発明によれば、第２演出用可動部材だけでなく、該第２演出用可動部材に簡単な機構で連繋する第３演出用可動部材を、第１演出用可動部材に従属させて動作させることができる。
【発明の効果】
【００１１】
本発明に係る遊技機用の可動式演出装置によれば、第１演出用可動部材を駆動手段で直接的に動作させると共に、第２演出用可動部材を第１演出用可動部材の動作に伴って動作させる構成として、各演出用可動部材を動作させる機構を簡略化することで、部品点数を減らして全体としてコストを低減し得る。しかも、第１演出用可動部材の動作に従属させて第２演出用可動部材を動作するよう構成したから、複数の演出用可動部材間に動的な一体感が生じるので、視覚的な演出効果を向上させて遊技の興趣を一層増大することができる。
【発明を実施するための最良の形態】
【００１２】
次に、本発明に係る遊技機用の可動式演出装置につき、好適な実施例を挙げて、添付図面を参照して以下に説明する。なお、実施例では、可動式演出装置を一般的なパチンコ機(遊技機)に配設した場合で説明する。
【実施例】
【００１３】
図１に示すように、実施例に係るパチンコ機の遊技盤Ａは、略円形状に湾曲形成したレールにより遊技領域が画成され、その略中央位置に図柄表示装置(図示せず)を後方から臨ませた装飾部材Ｂが配設されている。遊技盤Ａにおける装飾部材Ｂの下方には、遊技球検出用のスイッチ(図示せず)を備えた始動入賞具Ｃが設けられている。この始動入賞具Ｃに遊技球が入賞することで、図柄表示装置において図柄変動ゲームが開始されて、その結果、特定の図柄組合わせ(例えば、同一図柄の三つ揃)が表示されると、遊技者に有利な特別遊技(所謂大当り)が発生するようになっている。始動入賞具Ｃの下方位置には、特別入賞口に設けられた扉状の開閉板が、後側の電磁ソレノイド(図示せず)の駆動に伴って通常の閉鎖状態から開放状態に変化し得るよう構成された大型電動式の特別入賞装置Ｄが配設されており、特別遊技の発生により開閉板を開放して遊技球が特別入賞口に入賞することで、球皿(図示せず)に賞球が払出されるようになっている。装飾部材Ｂは、遊技領域の大部分を占める大型部材であって(図１参照)、図柄表示装置を臨ませる可視表示部Ｅを開設した枠状本体Ｂ１を、遊技盤Ａに開設した装着孔(図示せず)に前側から挿入した状態で、遊技盤Ａに対してネジ止め固定される。
【００１４】
図１または図２に示すように、装飾部材Ｂにおける図柄表示装置の上方に臨む位置には、人型のキャラクタを模した演出部材１１を備えた可動式演出装置１０が配設されている。可動式演出装置１０では、図柄表示装置での図柄組合わせゲームに合わせて、演出部材１１を構成するキャラクタの本体部分である演出体２１を固定した第１可動部材(第１演出用可動部材)２０と、演出体２１の腕を模した第２可動部材(第２演出用可動部材)３０および第３可動部材(第３演出用可動部材)３２とに所定の動作を行なわせて、多彩な演出を行なっている。
【００１５】
図３〜図６に示すように、可動式演出装置１０は、装飾部材Ｂに着脱自在に設けたケーシング１２に配設した単一の駆動手段としてのモータ１４と、ケーシング１２に動作可能に保持された第１可動部材２０と、この第１可動部材２０に動作可能に保持された第２可動部材３０と、第１可動部材２０に設けられ、第２可動部材３０を当該第１可動部材２０の動作に連動して動作させる連動手段２４,４０とから基本的に構成されている。また、実施例の可動式演出装置１０は、第２可動部材３０に加えて、該第２可動部材３０にリンク機構６０を介して連繋した第３可動部材３２が第１可動部材２０に保持されている。なお、可動式演出装置１０は、遊技盤Ａの正面視を基準として、前後、上下および左右方向を指称するものとし、実施例では、第１可動部材２０が左右方向に往復動作する場合について説明する。また実施例では、左右方向に長尺な第１可動部材２０の例であって、該第１可動部材２０の上側が長手方向に沿う一辺側となり、該第１可動部材２０の下側が長手方向に沿う他辺側となっている。
【００１６】
前記ケーシング１２は、装飾部材Ｂへの取付け側となる基部１２ａから前側へ向けて壁部が突設した左右方向に長尺な箱状体であって、前側に向けて開放する内部空間に可動式演出装置１０を構成する部材が収納されている(図６参照)。また、ケーシング１２の前面は、意匠部材１３Ａ,１３Ｂ,１３Ｃにより覆われ、演出部材１１である第１可動部材２０の演出体２１、第２可動部材３０および第３可動部材３２が、意匠部材１３Ａ,１３Ｂ,１３Ｃの前側に位置して、その他の部材が外方へ露出しないようになっている(図２参照)。ここで、第１意匠部材１３Ａはケーシング１２の左前側を覆い、第２意匠部材１３Ｂは演出部材１１の移動範囲の上方を覆い、第３意匠部材１３Ｃは演出部材１１の移動範囲の下方を覆うように取付けられている。このうち第２意匠部材１３Ｂには、ＬＥＤ等の発光体(図示せず)が設けられ、演出部材１１の動作による演出に合わせて、発光体を発光させて相乗的な演出効果を発現するよう構成される。
【００１７】
前記ケーシング１２には、基部１２ａの下端に沿って突設した下壁部１２ｂの内面に、第１可動部材２０の下側を保持する支持部材５０が固定されている。この支持部材５０は、第１可動部材２０の動作方向に対応する左右方向に延在する長尺な部材であって、その上面に第１可動部材２０の下部に設けられる後述の第２ピニオン２４に噛合する第２ラック５２が、左右方向に沿って設けられている(図３参照)。また支持部材５０には、その上面に左右方向に離間して一対の保持部５４,５４が立設され、各保持部５４に前側へ向けて突出形成した保持片５４ａを、第１可動部材２０における後述の長孔(溝部)２６に自由動作可能に挿入するよう構成される。そして、ケーシング１２において、支持部材５０が設けられる下壁部１２ｂに対向し、基部１２ａの上端に沿って突設した上壁部１２ｃの内面が、後述する転動部材２８に当接して案内するガイドとして機能する(図６参照)。
【００１８】
前記ケーシング１２には、基部１２ａの左側に偏倚した部位に突出形成した座部(図示せず)にモータ１４がネジ止め固定され、モータ１４が基部１２ａから所要間隔離間して配置されている。このモータ１４としては、制御手段(図示せず)による回転数制御下に正逆回転するステッピングモータが採用され、回転軸１６が基部１２ａ側に突出して設けられると共に、回転軸１６に第１ピニオン１８が固定されている(図３または図４参照)。なお、第１ピニオン１８において、基部１２ａに臨む面の中央には円形凸部１８ａが形成され(図３参照)、この円形凸部１８ａを基部１２ａに対応的に開設した孔部１２ｄに回転自在に挿入することで、第１ピニオン１８の安定的な保持が図られている(図６参照)。
【００１９】
前記第１可動部材２０は、その動作方向である左右方向に延在する長尺な部材であって、第１可動部材２０の一部をなす演出体２１が前側に突出した状態で第１可動部材本体２０ａに固定されている(図４参照)。また第１可動部材本体２０ａには、その上面(長手方向に沿う一辺側)に、モータ１４に連繋する作動部としての第１ラック２２が左右方向に沿って一体的に設けられ、第１ラック２２を第１ピニオン１８に噛合させて、モータ１４の正逆駆動により左右方向に往復移動する動作を行なうよう構成される(図３参照)。また、第１可動部材本体２０ａには、その下部(長手方向に沿う他辺側)に支持部材５０の第２ラック５２に噛合する第２ピニオン２４が自由回転可能に配設されている。すなわち、第１可動部材２０は、その上側を第１ラック２２を介してモータ１４の第１ピニオン１８に支持されると共に、下側を支持部材５０の第２ラック５２に第２ピニオン２４を介して支持され、第１ピニオン１８および第２ラック５２に第１可動部材本体２０ａを挟持した状態で、左右方向へ往復移動可能に保持されている。実施例では、第１可動部材本体２０ａにおいて、演出体２１は右側に偏倚する位置に配置され、これに対し第１ラック２２は、モータ１４に対応する左側に偏倚する位置に形成されている。
【００２０】
前記第１可動部材本体２０ａの下部には、左右方向に延在すると共に前後方向に貫通する長孔２６が、前述した支持部材５０の保持部５４に対応して左右方向に離間して、２箇所に開設されている。そして、各保持部５４の保持片５４ａを対応の長孔２６へ後側から挿通すると共に、長孔２６の前側に突出た保持片５４ａの先端に対しＥリング等の着脱可能な係止具Ｋを取付けることで、第１可動部材２０が支持部材５０に対し長孔２６の延在方向に沿って往復移動可能に支持される。なお、両保持片５４ａ,５４ａは、対応の長孔２６の左右方向において同一箇所に位置するように設定され、一方の保持片５４ａが対応の長孔２６の左端部に位置しているときは、他方の保持片５４ａも対応の長孔２６の左端部に位置して、両保持片５４ａ,５４ａが長孔２６,２６に対し往復移動可能となっている。
【００２１】
また各長孔２６は、第１可動部材２０の移動距離に応じて設定され、当該長孔２６の左右の側端に保持片５４ａが係止されて、第１可動部材２０の移動範囲を規定し得るようになっている。なお、可動式演出装置１０は、第１ラック２２や長孔２６,２６がケーシング１２の前面に取付けられる第２および第３意匠部材１３Ｂ,１３Ｃにより覆われると共に、該意匠部材１３Ｂ,１３Ｃの間の隙間から前側へ露出する第１可動部材本体２０ａが、当該第１可動部材本体２０ａの前面に取付けられた装飾物２０ｂにより覆われ、意匠部材１３Ｂ,１３Ｃの前側に位置する演出体２１と共に、全体として演出機能を発揮するよう構成される。
【００２２】
前記第２可動部材３０および第３可動部材３２は、第１可動部材２０に動作可能に保持されて、第１可動部材２０の往復移動と共に一体的に移動するように構成されている。第２および第３可動部材３０,３２は、第１可動部材２０における演出体２１の前面に設けられる演出部３０ａ,３２ａと、この演出部３０ａ,３２ａの上端部後面に設けた支持軸３０ｂ,３２ｂとから構成される。第２可動部材３０は、演出体２１および第１可動部材本体２０ａを共通的に貫通する通孔(図示せず)に支持軸３０ｂを前側から挿通することで、第１可動部材２０に対して支持軸３０ｂを中心として回動可能に保持され、第１可動部材本体２０ａの後側に突出した支持軸３０ｂの後端が連動手段の後述するクランク機構４０に接続されている。同様に、第３可動部材３２は、演出体２１および第１可動部材本体２０ａを共通的に貫通する通孔(図示せず)に支持軸３２ｂを挿通して、第１可動部材２０に対して支持軸３２ｂを中心として回動可能に保持され、第１可動部材本体２０ａの後側に突出した支持軸３２ｂの後端がクランク機構４０に連動する後述するリンク機構６０に接続されている。そして、第２可動部材３０の演出部３０ａは、左側に位置して人型の演出体２１における右腕を構成すると共に、第３可動部材３２の演出部３２ａは、右側に位置して人型の演出体２１における左腕を構成している(図５参照)。
【００２３】
前記連動手段２４,４０は、第１可動部材２０に設けられて、第２可動部材３０に接続すると共にケーシング１２に対し連繋され、第１可動部材２０の動作に連動して第１可動部材２０とケーシング１２との位置関係の変化により作動して、第２可動部材３０に所定の動作を行なわせるようになっている。実施例の連動手段は、第１可動部材２０に自由回転可能に設けられ、ケーシング１２における支持部材５０の第２ラック５２に噛合して連繋する第２ピニオン２４と、この第２ピニオン２４および第２可動部材３０を連結するクランク機構４０とから構成されている。すなわち連動手段は、第２ラック５２と第２ピニオン２４とのラックアンドピニオン機構により第１可動部材２０の直線運動を第２ピニオン２４の回転運動に変換し、更にクランク機構４０により第２ピニオン２４の回転運動を、第１可動部材２０の動作と異なる第２可動部材３０の往復動作に変換している。具体的にはクランク機構４０は、第２ピニオン２４の後側に一体形成した同心円状の円盤部２４ａの偏心した周縁部に一端を回動可能に連結した第１アーム４２と、第２可動部材３０における支持軸３０ｂの後端にその中央部を固定すると共に、第１アーム４２の他端に下端部を回動可能に連結した第２アーム４４とから構成される(図３参照)。
【００２４】
前記第３可動部材３２は、第２可動部材３０にリンク機構６０を介して連結され、第２可動部材３０の動作に連動して所定の動作を行なうように構成されている。このリンク機構６０は、第２可動部材３０の支持軸３０ｂに中央部を固定した第２アーム４４における該支持軸３０ｂより上方に延在する部分(以下リンク部と云う)４４ａと、第３可動部材３２における支持軸３２ｂの後端に一端を固定したリンクアーム６２と、リンク部４４ａの上端とリンクアーム６２の他端となる上端とを揺動可能に接続するリンクバー６４とから構成される(図３参照)。そして第３可動部材３２は、リンク機構６０により第２可動部材３０の動作と同期して、該第２可動部材３０と同様の往復動作を行なうようになっている。
【００２５】
前記第１可動部材２０には、その往復動作の安定化を図るため、上壁部１２ｃに当接する転動部材２８が設けられている(図６参照)。この転動部材２８は、第１可動部材本体２０ａの上面に立設した設置部２０ｃの上端に、上壁部１２ｃに当接した状態で自由回転可能に配設され、第１可動部材２０の往復移動に際して、上壁部１２ｃにより第１可動部材２０の上方への移動を規制しつつ、左右方向へ案内し得るようになっている。また、第１可動部材２０の上面における左側(一側部側)に偏倚して延在するように設けられた第１ピニオン１８に連繋する第１ラック２２に対し、転動部材２８は、第１可動部材２０の上面における右側(他側部側)に偏倚して配設され、左右方向に長尺な第１可動部材２０の両側部に、該第１可動部材２０を保持する手段である転動部材２８および第１ピニオン１８がバランスよく位置するようになっている。なお転動部材２８は、演出体２１の後側に配設され、前側から視認できないようにしてある。
【００２６】
前記可動式演出装置１０は、第１可動部材２０の位置を検出する位置検出手段７０を備え、この位置検出手段７０の検出結果に応じて制御手段よりモータ１４を正逆駆動するよう構成される。具体的には、位置検出手段として、発光部と受光部とを備えるフォトセンサ７０が用いられ、このフォトセンサ７０がケーシング１２における基部１２ａの前面に発光部と受光部とを上下方向に離間した状態で配設されている(図６参照)。また、第１可動部材２０の後面には、第１ラック２２の形成位置に対応して、左右方向に延在する被検出板２９が突設され、この被検出板２９が発光部と受光部との間の隙間に臨んでいる(図４参照)。この被検出板２９は、第１可動部材２０の移動範囲に合わせて、その左右方向の延在寸法が形成されている。そして、被検出板２９の左側端部近傍には、前後方向に延在するスリット２９ａが設けられ、このスリット２９ａがフォトセンサ７０に臨むときが第１可動部材２０の原点位置となるように設定されている。このとき、第１ラック２２の左端部に第１ピニオン１８が位置すると共に、第２ラック５２の右端部に第２ピニオン２４が位置し、各長孔２６の左端部に対応の保持片５４ａが位置する演出を行なっていない待機状態となっている。
【００２７】
前記可動式演出装置１０は、演出を行なっていない待機状態では第１可動部材２０が右側に位置して演出体２１がケーシング１２の右側に位置して待機するよう構成され、制御手段の制御下にモータ１４が駆動されることで、第１可動部材２０が左側へ移動するようになっている。このとき、フォトセンサ７０は、被検出板２９により遮られることで、第１可動部材２０が適切に動作していることを検出する。可動式演出装置１０は、モータ１４を制御手段の制御下に所定回転数だけ正回転することで、演出体２１が左側の折返し位置に到来するように設定され、折返し位置に達するとモータ１４を逆回転して第１可動部材２０を右側へ移動させるようになっている。折返し位置では、第１ラック２２の右端部に第１ピニオン１８が位置すると共に、第２ラック５２の左端部に第２ピニオン２４が位置し、各長孔２６の右端部に対応の保持片５４ａが位置している。そして、可動式演出装置１０において、演出動作が終了する際には、第１可動部材２０が右側に移動されて、被検出板２９のスリット２９ａがフォトセンサ７０に臨み、被検出板２９の非検知状態に移行すると、原点位置に到来したことを検出してモータ１４を停止するように制御される。このように、フォトセンサ７０による第１可動部材２０の位置検出により、制御の容易化が図られている。
【００２８】
前記第２ピニオン２４、クランク機構４０およびリンク機構６０等の回転または揺動可能に連結した部材は、当該部材２４,４０,６０を軸支している支軸の一端をＥリング等の着脱可能な係止具Ｋで保持するよう構成され、必要に応じて取外すことが可能となっている。
【００２９】
〔実施例の作用〕
次に、実施例に係る遊技機用の可動式演出装置の作用について説明する。なお、可動式演出装置１０は、第１可動部材２０がケーシング１２の右側に位置する待機状態にあるものとする。
【００３０】
遊技者の遊技操作に応じて遊技盤Ａの遊技領域に打出された遊技球が、始動入賞具Ｃに入賞することにより、図柄表示装置での図柄変動ゲームが行なわれ、これに合わせて可動式演出装置１０も制御手段により所定の演出を行なうように駆動制御される。具体的には、モータ１４が駆動されることで第１ピニオン１８が回転し、第１ラック２２を介して回転運動から直線運動に変換されて、第１可動部材２０および該第１可動部材２０と共に第２および第３可動部材３０,３２が左側へ向けて移動され、演出部材１１としての第１〜第３可動部材２０,３０,３２が、左右方向へ移動することによる所定の演出が開始される。同時に、第１可動部材２０の移動に伴って、第１可動部材２０に設けた第２ピニオン２４も移動することで、第２ピニオン２４が、固定されている支持部材５０の第２ラック５２により転動される。すなわち、第１可動部材２０を動作させて、固定側であるケーシング１２との相対的な位置関係を変化させることで、ケーシング１２に対し第２ラック５２を介して連繋している移動側の第２ピニオン２４が作動され、第１可動部材２０の直線運動が第２ピニオン２４の回転運動に変換される。
【００３１】
前記第２ピニオン２４が回転すると、第２ピニオン２４における円盤部２４ａに偏心して連結したクランク機構４０の第１アーム４２が往復運動されることで、第２アーム４４が第２可動部材３０の支持軸３０ｂを中心として揺動する。支持軸３０ｂの揺動につれて演出体２１の前面に保持されている演出部３０ａが、当該支持軸３０ｂを中心として腕を振るような往復動作を行なう。このように可動式演出装置１０では、第２可動部材３０が第１可動部材２０と位置関係を変えることなく第１可動部材２０と一体的に移動されると共に、連動手段２４,４０により、その移動と同時に第１可動部材２０の動作と異なる動作を行なわせることができる。
【００３２】
前記第２可動部材３０の動作に伴って、クランク機構４０の第２アーム４４が第２可動部材３０の支持軸３０ｂを中心として揺動することで、リンク機構６０のリンク部４４ａの上端に連結されたリンクバー６４も左右方向へ往復動作する。これにより、第３可動部材３２の支持軸３２ｂに連結したリンクアーム６２が、支持軸３２ｂを中心として揺動し、支持軸３２ｂの揺動につれて演出体２１の前面に保持されている第３可動部材３２の演出部３２ａが、当該支持軸３２ｂを中心として腕を振るような往復動作を行なう。すなわち、第３可動部材３２についても、第１可動部材２０と位置関係を変えることなく第１可動部材２０と一体的に移動されると共に、連動手段２４,４０およびリンク機構６０により、その移動と同時に第２可動部材３０と同期して第１可動部材２０の動作と異なる動作を行なわせることができる。なお、第２および第３可動部材３０,３２は、第１可動部材２０の往動時に、所定回数の往復移動を行なうと共に、同様に第１可動部材２０の復動時に、所定回数の往復移動を行なう。またモータ１４は、第１可動部材２０が所定範囲内で複数回往復動作を繰返す態様や、途中で一時停止する態様等を行なうよう、演出に合わせて適宜制御される。
【００３３】
このように、単一のモータ１４により第１可動部材２０を直接的に動作させると共に、第２および第３可動部材３０,３２を第１可動部材２０に保持した状態で当該第１可動部材２０の動作と共に移動させつつ所定の動作を行なわせて、第１可動部材２０と第２および第３可動部材３０,３２との間の動作について、主従関係を設けてある。このため、別々の動作をする第１可動部材２０と第２および第３可動部材３０,３２との動作関係に動的な一体感が生じて、複数の演出用の可動部材２０,３０,３２による複合的な視覚的演出効果を向上させることができる。すなわち、実施例の構成によれば、演出体２１が左右方向に移動するにつれて、腕を構成する第２可動部材３０および第３可動部材３２が左右方向へ往復動作することで、あたかも人型の演出体２１が両腕を振りつつ移動しているような動的でかつ一体的な演出を与えることができる。
【００３４】
前記可動式演出装置１０は、第１可動部材２０をモータ１４で直接的に動作させると共に、第１可動部材２０が、演出を担う演出部材１１として機能するだけでなく、モータ１４から動力を伝達する手段としても機能して、第２可動部材３０を第１可動部材２０の動作に連動して連動手段２４,４０を介して動作させる構成であるから、可動部材３０を動作させる機構を簡略化することができる。また、第３可動部材３２についても、簡単なリンク機構６０を介して第２可動部材３０に連動して動作させる構成であるから、モータ１４等の駆動手段を必要とせず、その構成を簡略化することができる。すなわち、可動式演出装置１０は、意図する演出効果を維持しつつ、全体として構成部材を低減でき、装置の大型化や製造コストの増大を防止し得る。更に、モータ１４および第１可動部材２０をケーシング１２に保持すると共に、第２,第３可動部材３０,３２、連動手段２４,４０およびリンク機構６０を第１可動部材２０に配設してユニット化してあるから、可動式演出装置１０の装飾部材Ｂに対する組付け作業を簡略化し得る利点もある。
【００３５】
前記可動式演出装置１０は、モータ１４から第１可動部材２０へ、第１可動部材２０から第２可動部材３０へ動力伝達機構としてラックアンドピニオン機構を採用することで、一方の動きを他方へ安定、かつ確実に伝達することができる。しかも、第１可動部材２０は、ケーシング１２に配設したモータ１４の第１ピニオン１８および支持部材５０の第２ラック５２により第１可動部材本体２０ａを挟持した状態で保持し得るから、第１可動部材２０を安定的に往復動作させることができる。これにより、第１可動部材２０に従属して動作する第２および第３可動部材３０,３２についても、その動作を安定させることができる。
【００３６】
前記第１可動部材２０は、その動作方向に沿って開設した一対の長孔２６,２６に、支持部材５０の保持片５４ａを対応的に係入させて、支持部材５０に相対移動可能に支持する構成であるから、第１可動部材２０を長孔２６に沿って安定的に移動させることができる。また、第１可動部材２０において、支持部材５０に支持される側と反対となる上側は、ケーシング１２の上壁部１２ｃに当接する転動部材２８を設け、第１可動部材２０の移動を転動部材２８と上壁部１２ｃとで案内する構成であるので、動作の更なる安定化を図ることができる。しかも、転動部材２８は、右側に偏倚している第１ピニオン１８と反対側の左側に偏倚する位置に設けられているから、左右方向に長尺な第１可動部材２０を上側からバランスよく支持することが可能である。このように、演出動作の主体をなす第１可動部材２０が、安定的に支持されているので、複数の第２および第３可動部材３０,３２を保持しても、演出と関係のないがたつきを抑制することができ、意図する演出効果を発現し得る。
【００３７】
(変更例)
なお、可動式演出装置の構成としては、実施例のものに限られるものではなく、以下の如く種々の変更が可能である。
(１)実施例では、モータにより直接的に駆動される第１可動部材と、この第１可動部材に連動手段を介して連動する第２可動部材と、この第２可動部材にリンク機構を介して連動する第３可動部材とを夫々１つずつ設ける構成について説明したが、例えば第１可動部材を２以上設けてもよい。また、第１可動部材に第３可動部材を設けない構成や、第１可動部材に複数の第２可動部材を設ける構成や、１つの第２可動部材に対応して複数の第３可動部材を設ける構成も採用し得る。
(２)第１可動部材の動作方向は、左右方向に限られるものでなく、上下、前後、斜め等であってもよい。
(３)駆動手段としては、モータに限らずロータリー式のソレノイド等の各種ロータリーアクチュエータや、直線的に駆動するソレノイドやシリンダ等のリニアアクチュエータを用いることが可能である。
(４)実施例では、装飾部材に液晶式の図柄表示装置を配設して主たる遊技演出を行なうようにしたが、ドラム式やベルト式等のように図柄を変動表示するものであればよい。
(５)可動式演出装置を配設する遊技機としては、パチンコ機に限らずアレンジボール機やパチンコ式スロットマシン等であってもよく、主たる遊技演出を行なう図柄表示装置が臨む装飾部材を備えたものであれば何れのものであってもよい。
(６)実施例では、モータの正逆駆動による第１可動部材の動作に関して、折返し位置からの折返しを制御手段によるモータの回転数制御により行なうと共に、原点位置での停止をフォトセンサによる被検出板の検出状態により行なう構成であるが、モータの回転数制御またはフォトセンサによる被検出板の検出の何れか一方だけで行なってもよい。また、モータの正逆駆動による第１可動部材の動作に関して、原点位置での停止を制御手段によるモータの回転数制御により行なうと共に、折返し位置からの折返しをフォトセンサによる被検出板の検出状態により行なう構成も採用し得る。 
【００３８】
(付記１)
前記第１演出用可動部材(20)は、該第１演出用可動部材(20)の動作方向に沿って開設した溝部(26)に、前記支持部材(50)の該第１演出用可動部材(20)側へ突設した保持片(54a)を係入して、該支持部材(50)に相対移動可能に支持されている。
この構成によれば、第１演出用可動部材を溝部と支持部材の保持片との支持構造により保持することで、より安定的に往復動作させることができる。
【００３９】
(付記２)
前記第１演出用可動部材(20)における長手方向に沿う一辺側に転動部材(28)が自由回転可能に配設され、該転動部材(28)が、前記ケーシング(12)における支持部材(50)の配設側と対向して第１演出用可動部材(20)の動作方向に延在するガイド(12c)に当接案内される。
この構成によれば、第１演出用可動部材を転動部材とケーシングのガイドとの当接により保持することで、更に安定的に往復動作させることができる。
【００４０】
(付記３)
前記第１ラック(22)は、前記第１演出用可動部材(20)の一辺における一側部側に偏倚して延在するように設けられ、前記転動部材(28)は、該第１演出用可動部材(20)の一辺における他側部側に偏倚して配設されている。
この構成によれば、第１演出用可動部材の両側部を、第１ピニオンおよび転動部材で夫々保持することで、更に安定的に往復動作させることができる。
【図面の簡単な説明】
【００４１】
【図１】本発明の好適な実施例に係る可動式演出装置を組付けた装飾部材を配設した遊技盤を示す正面図である。
【図２】実施例の可動式演出装置を組付けた装飾部材を拡大して示す要部正面図である。
【図３】実施例の可動式演出装置を後側から示す概略斜視図である。
【図４】実施例の可動式演出装置を示す平面図である。
【図５】実施例の可動式演出装置を示す正面図である。
【図６】実施例の可動式演出装置を示す側面図である。
【符号の説明】
【００４２】
１２ ケーシング
１４ モータ(駆動手段)
１６ 回転軸
１８ 第１ピニオン
２０ 第１可動部材(第１演出用可動部材)
２２ 第１ラック(作動部)
２４ 第２ピニオン(連動手段)
３０ 第２可動部材(第２演出用可動部材)
３２ 第３可動部材(第３演出用可動部材)
４０ クランク機構(連動手段)
５０ 支持部材
５２ 第２ラック
６０ リンク機構
Ｂ 装飾部材
【図１】
0004739053.tif 000002
【図２】
0004739053.tif 000003
【図３】
0004739053.tif 000004
【図４】
0004739053.tif 000005
【図５】
0004739053.tif 000006
【図６】
0004739053.tif 000007